(57)【要約】【課題】画像形成装置の設計者が容易に設計を行なうことが可能な画像形成装置を提供する。【解決手段】ユーザが利用可能な機能がその一部に制限されているとともに、おのおのユーザに対して利用可能な機能が登録されている画像形成装置であって、機能を利用するユーザ情報を管理し、その登録、編集を行うユーザ情報管理手段と、ログインしたユーザを証明し、その状態を管理するユーザログイン手段を備えた。【選択図】        図１５
2007081913.tif 000002
【特許請求の範囲】
【請求項１】
ユーザが利用可能な機能がその一部に制限されているとともに、おのおのユーザに対して利用可能な機能が登録されている画像形成装置であって、
機能を利用するユーザ情報を管理し、その登録、編集を行うユーザ情報管理手段と、
ログインしたユーザを証明し、その状態を管理するユーザログイン手段を備えたことを特徴とする画像形成装置。
【請求項２】
前記ユーザ情報管理手段は、ユーザの登録・編集を行うユーザ登録手段と、ユーザの情報をあらわすユーザ情報手段からなることを特徴とする請求項１記載の画像形成装置。
【請求項３】
前記ユーザログイン手段は、ユーザの機能利用を制限するユーザ制限手段と、ログインしたユーザの状態を保持するログインユーザ情報手段からなることを特徴とする請求項１記載の画像形成装置。
【請求項４】
前記ユーザ情報手段は、ユーザを識別するユーザ識別手段と、ユーザの特性をあらわすユーザ特性手段からなることを特徴とする請求項２記載の画像形成装置。
【請求項５】
前記ログインユーザ情報手段は、ユーザの認証状態を保持するユーザ状態手段と、ユーザの証明を行うためのユーザ証明手段からなることを特徴とする請求項３記載の画像形成装置。
【発明の詳細な説明】
【技術分野】
【０００１】
本発明は、ユーザが利用可能な機能がその一部に制限されているとともに、おのおのユーザに対して利用可能な機能が登録されている画像形成装置に関する。
【背景技術】
【０００２】
近年、複写機のデジタル化により、複写機は複合化されている。例えば、画像データをレーザ光で感光ドラムに書き込むという方式は、レーザプリンタの書き込み方式と全く同じ仕組みである。よって、両用のコントローラを搭載すれば、複写機とプリンタの機能を一体化、即ち、複合化することができる。
【０００３】
また、同じ要領でファックスやスキャナの機能も融合することで、これらの機能の複合化が可能である。このような複合機の登場により、これまでそれぞれ単機能の事務機だった複写機、プリンタ、ファクス、スキャナが１台の機器にまとまり、オフィスのトータルコストの低減につながっている。
【０００４】
また、近年において、複写機は複合化だけでなく、ネットワーク化も行われている。例えば、デジタル化によって複合機がオフィスのネットワークにつながることが可能になり、パーソナルコンピュータ装置やサーバと一緒に働くようになった。
【０００５】
更に、複合機自体が、メモリやハードディスク駆動装置（ＨＤＤ）を搭載するまでに進化し、パーソナルコンピュータ装置とほぼ同じ機能を持つに至っている。このように、複写機は、ネットワーク複合機へ進化することで、オフィスにおけるセンターマシンとなり、ユーザの多種多様なニーズに応えることが可能となった。
【０００６】
そのため、セキュリティー上の管理もパーソナルコンピュータ装置と同様の機能を求められ、利用者の認証を行い、その利用者毎に機能を制限する利用者の権限レベルによって機能制限を行うことは当たり前になってきている。また、利用者の個人情報であるユーザプロファイルも重要になってくる。パーソナルコンピュータ装置では当たり前になっているが、画像形成装置の操作部のデスクトップ配置やＷｅｂページのお気に入り等も個人のプロファイルに従ってロードされると、利便性が向上する。
【０００７】
従来、以上のような複合機の動作制御は、この複合機に搭載されたコンピュータによって行われており、このコンピュータは動作制御のためのプログラム(Ｐ')を実行することにより、コンピュータ内のＲＡＭ（Ｒａｎｄｏｍ  Ａｃｃｅｓｓ  Ｍｅｍｏｒｙ）の所定領域において、図１９に示すようにアプリケーション層とサービス層を構築することができる。
【０００８】
このうちアプリケーション層は、コピー、スキャナ、ファクス等の複数のアプリケーションＡＰ１〜ＡＰ４を所持することにより、コンピュータはアプリケーションＡＰ１〜ＡＰ４の機能を実現することができるようになる。
【０００９】
また、同様に、サービス層は、スキャナ制御、プロッタ制御等、複数の機器制御用のサービスＳＶ１〜ＳＶ６を所持しており、このそれぞれのサービスＳＶ１〜ＳＶ６がサービスの下位層にある、スキャナや、プロッタなどのハードウェアリソースの動作制御を行なうことによってコンピュータはサービスＳＶ１〜ＳＶ６の機能を実現することが可能となる。
【００１０】
例えば、スキャナ制御サービスＳＶ１は、スキャナの動作制御を行なう。これによりコンピュータはスキャナを使った紙文書読み取りを行なう機能を有するに至る。
【００１１】
ところが、各アプリケーションＡＰ１〜ＡＰ４は、下位のサービス層の各種サービスＳＶ１〜ＳＶ６のうち、処理を行なうために必要なサービスＳＶ１〜ＳＶ６を利用している。
【００１２】
例えば、コピーのアプリケーションＡＰ１はコピーという処理を行なうために、スキャナ制御のサービスＳＶ１およびプロッタ制御のサービスＳＶ２を利用する。
【００１３】
また、ファックスのアプリケーションＡＰ２がファクス送信という処理を行なうためには、スキャナ制御のサービスＳＶ１およびファクス送信制御のサービスＳＶ５を利用している。
【００１４】
このように、個々のアプリケーションＡＰ１〜ＡＰ４は処理の種類に応じて多数のサービスＳＶ１〜ＳＶ６を利用するため、図１９に示すようにアプリケーション層からサービス層へたくさんの利用関係が成立し、プログラムＰ'の設計が非常に複雑になるという問題があった。
【００１５】
また、各サービスＳＶ１〜ＳＶ６は複数のアプリケーションＡＰ１〜ＡＰ４に機能の提供を行なっているため、アプリケーションＡＰ１〜ＡＰ４の一部を設計変更したい場合であっても、すべてのアプリケーションＡＰ１〜ＡＰ４の設計変更が余儀なくされ、設計変更に多大な時間と経費を要するという問題も生じていた。
【特許文献１】特開２００５−５１３３６号公報
【発明の開示】
【発明が解決しようとする課題】
【００１６】
そこで、現在では、アプリケーションの一部の設計変更を行ないたい場合であっても、一部の設計変更で足りるオブジェクト指向設計が行われるようになった。
【００１７】
このオブジェクト指向設計は、データとそれを操作する手続きをオブジェクトと呼ばれるひとまとまりの単位として一体化し、オブジェクトの組み合わせとしてプログラムを記述するプログラミング技法である。
【００１８】
このように、プログラムを複数のオブジェクトで記述することで、アプリケーションの一部の設計変更を行ないたい場合には、それに関係した特定のオブジェクトのみの設計変更で済むと共に、プログラムの部分的な再利用も可能となる。
【００１９】
そして、前記オブジェクト指向開発を用いて、図２０に示すようにアプリケーションを統合したシステムの開発が求められている。
【００２０】
本発明は、上記事情に鑑みてなされたものであって、その目的は、画像形成装置の設計者が容易に設計を行なうことが可能な画像形成装置を提供することである。
【課題を解決するための手段】
【００２１】
本発明は、ユーザが利用可能な機能がその一部に制限されているとともに、おのおのユーザに対して利用可能な機能が登録されている画像形成装置であって、機能を利用するユーザ情報を管理し、その登録、編集を行うユーザ情報管理手段と、ログインしたユーザを証明し、その状態を管理するユーザログイン手段を備えたものである。
【００２２】
また、前記ユーザ情報管理手段は、ユーザの登録・編集を行うユーザ登録手段と、ユーザの情報をあらわすユーザ情報手段からなるものである。
【００２３】
また、前記ユーザログイン手段は、ユーザの機能利用を制限するユーザ制限手段と、ログインしたユーザの状態を保持するログインユーザ情報手段からなるものである。
【００２４】
また、前記ユーザ情報手段は、ユーザを識別するユーザ識別手段と、ユーザの特性をあらわすユーザ特性手段からなるものである。
【００２５】
また、前記ログインユーザ情報手段が、ユーザの認証状態を保持するユーザ状態手段と、ユーザの証明を行うためのユーザ証明手段からなるものである。
【発明の効果】
【００２６】
したがって、本発明によれば、ユーザの登録・編集を行うユーザ情報管理部とシステムにログインしたユーザの状態を管理するユーザログイン部を分けて考えることで、利用者の登録・編集・認証作業が利用者のログイン状態とは別管理できるという効果を得る。
【発明を実施するための最良の形態】
【００２７】
以下、添付図面を参照しながら、本発明の実施の形態を詳細に説明する。
【００２８】
本発明で想定している実施環境を図１に示す。
【００２９】
同図に示すように、本発明にかかる画像形成装置ＦＸは、様々な機器が接続されているネットワーク環境に接続されている画像形成装置を想定している。
【００３０】
図２に本実施例にかかる画像形成装置ＦＸの機械的構造の一例を示す。
【００３１】
自動原稿送り装置（以後ＡＤＦ）１にある、原稿台２に原稿の画像面を上にして置かれた原稿束は、操作部３０上のプリントキー３４が押下されると、一番下の原稿から給送ローラ３、給送ベルト４によってコンタクトガラス６上の所定の位置に給送される。
【００３２】
一枚の原稿を給送完了により原稿枚数をカウントアップするカウント機能を有している。給送された原稿は読み取りユニット５０によってコンタクトガラス６上の原稿の画像データを読み取り後、読み取りが終了した原稿は、給送ベルト４及び排送ローラ５によって排出される。
【００３３】
さらに、原稿セット検知７にて原稿台２に次の原稿が有ることを検知した場合、前原稿と同様にコンタクトガラス６上に給送される。給送ローラ３、給送ベルト４、排送ローラ５は搬送モータ２６によって駆動される。
【００３４】
第１トレイ８、第２トレイ９、第３トレイ１０に積載された転写紙は、各々第１給紙装置１１、第２給紙装置１２、第３給紙装置１３によって給紙され、縦搬送ユニット１４によって感光体１５に当接する位置まで搬送される。
【００３５】
読み取りユニット５０にて読み込まれた画像データは、書き込みユニット５７からのレーザーによって感光体１５に書き込まれ、現像ユニット２７を通過することによってトナー像が形成される。
【００３６】
そして、転写紙は感光体１５の回転と等速で搬送ベルト１６によって搬送されながら、感光体１５上のトナー像が転写される。その後、定着ユニット１７にて画像を定着させ、排紙ユニット１８によって後処理装置のフィニシャ１００に排出される。
【００３７】
後処理装置のフィニシャ１００は、本体の排紙ローラ１９によって搬送された転写紙を、通常排紙ローラ１０２方向と、ステープル処理部方向へ導く事ができる。
【００３８】
切り替え板１０１を上に切り替える事により、搬送ローラ１０３を経由して通常排紙トレイ１０４側に排紙する事ができる。
【００３９】
また、切り替え板１０１を下方向に切り替える事で、搬送ローラ１０５、１０７を経由して、ステープル台１０８に搬送する事ができる。
【００４０】
ステープル台１０８に積載された転写紙は、一枚排紙されるごとに紙揃え用のジョガー１０９によって、紙端面が揃えられ、一部のコピー完了と共にステープラ１０６によって綴じられる。ステープラ１０６で綴じられた転写紙群は自重によって、ステープル完了排紙トレイ１１０に収納される。
【００４１】
一方、通常の排紙トレイ１０４は前後に移動可能な排紙トレイである。前後に移動可能な排紙トレイ部１０４は、原稿毎、あるいは、画像メモリによってソーティングされたコピー部毎に、前後に移動し、簡易的に排出されてくるコピー紙を仕分けるものである。
【００４２】
転写紙の両面に画像を作像する場合は、各給紙トレイ８〜１０から給紙され作像された転写紙を排紙トレイ１０４側に導かないで、経路切り替えの為の分岐爪１１２を上側にセットする事で、一旦両面給紙ユニット１１１にストックする。
【００４３】
その後、両面給紙ユニット１１１にストックされた転写紙は再び感光体１５に作像されたトナー画像を転写するために、両面給紙ユニット１１１から再給紙され、経路切り替えの為の分岐爪１１２を下側にセットし、排紙トレイ１０４に導く。この様に転写紙の両面に画像を作成する場合に両面給紙ユニット１１１は使用される。
【００４４】
感光体１５、搬送ベルト１６、定着ユニット１７、排紙ユニット１８、現像ユニット２７はメインモータ２５によって駆動され、各給紙装置１１〜１３はメインモータ２５の駆動を各々給紙クラッチ２２〜２４によって伝達駆動される。縦搬送ユニット１４はメインモータ２５の駆動を中間クラッチ２１によって伝達駆動される。
【００４５】
図３は、操作部３０を示した図である。
【００４６】
操作部３０には、液晶タッチパネル３１、テンキー３２、クリア／ストップキー３３、プリントキー３４、予熱キー３５、リセットキー３６、初期設定キー３７、コピーキー３８、コピーサーバーキー３９があり、液晶タッチパネル３１には、機能キー、部数、及び画像形成装置ＦＸの状態を示すメッセージなどが表示される。
【００４７】
初期設定キー３７を押す事で、機械の初期状態を任意にカスタマイズする事が可能である。機械が収納している用紙サイズを設定したり、コピー機能のモードクリアキーを押したときに設定される状態を任意に設定したりすることが可能である。
【００４８】
また、一定時間操作が無いときに優先して選択されるアプリケーション等も選択する事、国際エネルギースター計画に従った低電力への移行時間の設定や、オートオフ／スリープモードへの移行する時間を設定する事が可能である。
【００４９】
予熱キー３５を押すと、機械は待機状態から、電力低減状態に移行し、定着温度を低下させたり、操作部の表示を消灯したりする。予熱状態は、国際エネルギースター計画で言う、低電力状態を意味している。また、予熱状態、オフ状態／スリープ状態を解除し、待機状態に移行させるには、この予熱キーを再度押下する。  コピーキー３８の押下により、コピー機能の使用が可能である。
【００５０】
コピーサーバーキー３９は、既存の蓄積画像データの編集（コピーモード設定、印刷、削除）を行なうときに使用する。
【００５１】
コピーサーバーの詳細は、後述する。
また、スキャナアプリキー４１は原稿を機器内部の記憶装置に蓄積るとき、スキャナより読み取った入力画像や蓄積されている画像データなどを外部に送信するとき等に使用する。
詳細は後述する。
【００５２】
図４は操作部３０の液晶タッチパネル３１の表示一例を示した図である。
【００５３】
オペレータが液晶タッチパネル３１に表示されたキーにタッチする事で、選択された機能を示すキーが黒く反転する。また、機能の詳細を指定しなければならない場合（例えば変倍であれは変倍値等）は、キーにタッチする事で、詳細機能の設定画面が表示される。このように、液晶タッチパネルは、ドット表示器を使用している為、その時の最適な表示をグラフィカルに行なう事が可能である。
【００５４】
図４において左上は、「コピーできます」、「お待ちください」等のメッセージを表示するメッセージエリア、その右は、セットした枚数を表示するコピー枚数表示部、転写紙を自動的に選択する自動用紙選択キー、コピーを一部ずつページ順にそろえる処理を指定するソートキー、コピーをページ毎に仕分けする処理を指定するスタックキー、ソート処理されたものを一部ずつ綴じる処理を指定するステープルキー、倍率を等倍にセットする等倍キー、拡大／縮小倍率をセットする変倍キー、両面モードを設定する両面キー、とじ代モード等を設定する編集キー、表紙／合紙モードを設定する表紙／合紙キー、デジタル複写機のネットワークを介して多量のプリント動作を複数に分けてプリントアウトする連結モードキーである。
【００５５】
また、給紙トレイ数に対応した給紙トレイ状態を示し、手動で給紙段を設定するためのキーが給紙段分表示されている。
【００５６】
図５はメインコントローラを中心に、制御装置を図示したものである。メインコントローラ２０は画像形成装置全体を制御する。
【００５７】
メインコントローラ２０には、オペレータに対する表示、オペレータからの機能設定入力制御を行なう操作部３０、スキャナの制御、原稿画像を画像メモリに書き込む制御、画像メモリからの作像を行なう制御等を行なう画像処理ユニット（ＩＰＵ）４９、原稿自動送り装置（ＡＤＦ）１、等の分散制御装置が接続されている。
【００５８】
各分散制御装置とメインコントローラ２０は必要に応じて機械の状態、動作司令のやりとりを行っている。
【００５９】
また紙搬送等に必要なメインモータ２５、各種クラッチ２１〜２４も接続されている。
【００６０】
図２に戻り、画像形成装置ＦＸの原稿読み取りから、画像の書き込みまでを説明する。
【００６１】
読み取りユニット５０は、原稿を載置するコンタクトガラス６と光学走査系で構成されており、光学走査系には、露光ランプ５１、第１ミラー５２、レンズ５３、ＣＣＤイメージセンサ５４等々で構成されている。露光ランプ５１及び第１ミラー５２は図示しない第１キャリッジ上に固定され、第２ミラー５５及び第３ミラー５６は図示しない第１キャリッジ上に固定されている。
【００６２】
原稿像を読み取るときには、光路長が変わらないように、第１キャリッジ第２キャリッジとが２対１の相対速度で機械的に操作される。
【００６３】
この光学走査系は、図示しないスキャナ駆動モータにて駆動される。原稿画像は、ＣＣＤイメージセンサ５４によって読み取られ、電気信号に変換されて処理される。
【００６４】
書き込みユニット５７はレーザー出力ユニット５８、結像レンズ５９、ミラー６０で構成され、レーザー出力ユニット５８の内部には、レーザー光源であるレーザダイオード及びモータによって高速で定速回転する多角形ミラー（ポリゴンミラー）が備わっている。
【００６５】
書き込みユニット５７から出力されるレーザー光が、画像作像系の感光体１５に照射される。
【００６６】
図示しないが感光体１５の一端近傍のレーザビームを照射される位置に、主走査同期信号を発生するビームセンサが配置されている。
【００６７】
図６は画像処理ユニット（ＩＰＵ）４９の内部構成のブロック図である。
【００６８】
露光ランプ５１から照射された光の反射を、ＣＣＤイメージセンサ５４にて光電変換し、Ａ／Ｄコンバータ６１にてデジタル信号に変換する。デジタル信号に変換された画像信号は、シェーディング補正６２がなされた後、画像処理部６３にてＭＴＦ補正、γ補正等がなされる。
【００６９】
その後、印字合成部７１を介して入力した画像データを変倍回路７７へ、或いは、画像メモリコントローラ６５へ切り替えて供給するものであり、変倍回路７７を経由した画像信号は変倍率に合せて拡大縮小され、書き込みユニット５７に送られる。
【００７０】
一方、画像メモリコントローラ６５とセレクタ６４間は、双方向に画像信号を入出力可能な構成となっている。
【００７１】
図６には特に明示していないが、ＩＰＵ４９には読み取りユニット５０から入力される画像データ以外にもＩ／Ｏポート６７を介して外部から供給される画像データ、例えばパーソナルコンピュータ等のデータ処理装置から入力したデータも処理できるよう、複数データの入出力の選択を行なう機能を有しているものとする。
【００７２】
本実施例においては、Ｉ／Ｏポート６７を介して画像形成装置ＦＸをネットワーク接続しており、その通信手段には、インターネットの標準プロトコルとして普及されているＴＣＰ／ＩＰ通信プロトコルを用いるなどが考えられる。
【００７３】
また、図１のようなネットワーク構成を持ち、ネットワーク接続された各画像形成装置の機械構成情報や動作状況、もしくはリモート出力コマンド等の制御コマンド、設定コマンド、または外部サーバと画像データや送信先アドレス帳データの送受信を行っている。
【００７４】
また、画像メモリコントローラ６５等への設定や、読み取り部５０書き込み部５７の制御を行なうＣＰＵ６８、及びそのプログラム(Ｐ)やデータを格納するＲＯＭ６９、ＲＡＭ７０、ＮＶ−ＲＡＭ７４を備えている。更にＣＰＵ６８は、メモリコントローラ６５を介して、画像メモリ６６のデータの書き込み、読み出しを行なうことができる。
【００７５】
原稿画像で画像メモリコントローラ６５へ送られた画像は、画像メモリコントローラ内にある画像圧縮装置によって画像データを圧縮した後、画像メモリ６６に送られる。
【００７６】
ここで最大画像サイズ分の２５６階調のデータを、そのまま画像メモリ６６に書き込む事も可能であるが、１枚の原稿画像で画像メモリを大変多く使用する。
【００７７】
そのため、画像圧縮を行なう事で、限られた画像メモリを有効に利用できる。
【００７８】
また、一度に多くの原稿画像データを記憶することが出来るため、ソート機能として、貯えられた原稿画像イメージデータをページ順に出力する事ができる。この場合、画像を出力する際に画像メモリ６６のデータをメモリコントローラ６５内の伸長装置で順次伸長しながら出力を行なう。
【００７９】
このような機能は一般に「電子ソート」と呼ばれている。また画像メモリの機能を利用して、複数枚の原稿画像を、画像メモリの転写紙一枚分のエリアを分割したエリアに順次読み込む事も可能となる。
【００８０】
例えば４枚の原稿画像を、画像メモリの転写紙一枚分の４等分されたエリアに順次書き込む事で、４枚の原稿が一枚の転写紙イメージに合成され集約されたコピー出力を得ることが可能となる。
【００８１】
このような機能は一般に「集約コピー」と呼ばれている。画像メモリ６６の画像はＣＰＵ６８からアクセス可能な構成となっている。  このため画像メモリの内容を加工することが可能であり、例えば画像の間引き処理、画像の切り出し処理等が行なえる。
【００８２】
加工には、メモリコントローラ６５のレジスタにデータを書き込む事で画像メモリの処理を行なう事ができる。加工された画像は再度画像メモリに保持される。画像メモリ６６は、処理を行なう画像データの大きさにより複数のエリアに分割して画像データの入出力を同時に実行可能な構成をとっている。各分割したエリアに画像データの入力、出力をそれぞれ並列に実行可能にするためにメモリコントローラとのインターフェースにリード用とライト用の二組のアドレス・データ線で接続されている。これによりエリア１に画像を入力（ライト）する間にエリア２より画像を出力（リード）するという動作が可能になる。
【００８３】
画像メモリ６６は、多くの画像データを収納するためハードディスクを別に設けることもある。ハードディスクを用いる事により、外部電源が不用で永久的に画像を保持できる特徴もある。複数の定型の原稿（フォーマット原稿）をスキャナで読み込み保持するためには、このハードディスクが用いられるのが一般的である。
【００８４】
また、スキャナより読み取った画像データを電子メールなどを利用して外部に配信する際のデータのエンコード処理や配信の宛先データを持つアドレス帳などの保管や編集、削除といった一連の動作を行なう際にも利用されている。
【００８５】
書き込み、読み出しには本体の作像やスキャナからの画像書き込みに対し処理速度の差を吸収する為に、画像メモリに一旦記憶され処理される。また画像記憶装置からのデータを書き込みユニット５７に送る際は、画像メモリ６６に一旦記憶し、書き込みユニット５７に送ることになる。このように画像を記憶する装置の画像メモリ６６、ＨＤ７５、スキャナ画像、書き込みユニットに送る画像の入出力は全てメモリコントローラ６５によって画像パスを決められる。
【００８６】
このようにＣＰＵ６８が画像データの入力、出力を決めることでＣＰＵに接続されたメモリコントローラ６５が画像の流れを切り替えることが可能となる。
【００８７】
コピーサーバーにおいて蓄積画像の編集を行なう場合は、図３においてコピーサーバーキー３９を押下する。このときタッチパネル３１の表示画面は図７のようになる。
【００８８】
表示領域７０にはＨＤＤ７５に蓄積された画像データの各画像情報が表示されている。画像データを特定するための画像情報としてユーザＩＤ、文書名、ページ数、蓄積時刻が表示される。ユーザＩＤは該画像形成装置ＦＸに接続されたパーソナルコンピュータのプリンタドライバーにて付けられるためプリンタ機能による蓄積画像にのみ存在する。文書名は画像蓄積をする毎に付けられる。
【００８９】
ページ数は蓄積した原稿画像の枚数である。蓄積時刻は画像蓄積された時の時間を表す。なおこの時の画像情報は不揮発メモリＮＶ−ＲＡＭ７４に保持されており、電源断時でもその画像情報は保持され続ける。
【００９０】
図７の表示領域７０では３個の画像情報のみ表示されているが、同図「前へ」キー「後へ」キーを押下することにより表示されていない画像情報が表示可能である。表示領域７０に表示されている各画像情報を押下すると画像情報表示部分が黒色に反転する。これを選択状態と呼ぶ。
【００９１】
複数の画像情報が選択状態として指定可能である。蓄積画像に対する編集機能として、「リストから削除」「印刷条件変更」、「文書印刷」機能がある。文書を選択し「リストから削除」キーを押下すると選択された文書が削除される。文書を選択し、「印刷条件」キーを押下し、表示される画面にて印刷条件を設定し、プリントキー３４を押下することにより、指定された印刷条件に従って選択文書に応じた蓄積画像を印刷出力する。
【００９２】
スキャナで読み取った画像データや蓄積されている画像データを外部に送信する場合、図３においてスキャナアプリキー４１を押下すると、タッチパネル３１には図８のような画面が表示される。
【００９３】
また、読み取り条件キーを押下すると図９に示すような表示画面に切り替わり、スキャナからの原稿の読み取りに対して、この画面から原稿種類、解像度、原稿サイズ、濃度を設定することができる。
【００９４】
ここで設定した読み取り条件は読み取り条件表示欄８０に表示される。送信相手先は登録ユーザ表示欄８１に表示されているユーザを指定する。
【００９５】
あるいは、直接入力キーを押下しソフトウェアキーボードを利用することによって、文字通り直接宛先を入力することもできる。
【００９６】
ここで、原稿をスキャナにセットし、プリントキーを押下すると、原稿を読み取って電子画像として希望の宛先に向けて送信することができる。
【００９７】
そして、蓄積文書キー８２を押下すると、図１０に示されているような表示に切り替わる。
【００９８】
ここでは、蓄積されている文書の一覧が表示される。
【００９９】
ここで文書を(複数)選択して、図８のスキャナ配信基本画面に戻って宛先を設定すると選択した蓄積文書を外部に送信することができる。
【０１００】
また、ここでは他に蓄積文書の削除を実行できる。
【０１０１】
図１１はタッチパネル３１上に表示されるログイン名とパスワードの入力要求画面である。図１２はタッチパネル３１上に表示されるソフトキーボードである。
【０１０２】
画像形成装置ＦＸの操作を行う際に、認証が必要な場合、このソフトキーボードでログイン名とパスワードを入力し、図１１のログイン名とパスワードの入力要求画面中のログインキー８９を押下することで利用者がログインし、ログインした利用者が正しい利用者ならば、図４のような画面に切り替わりシステムを利用できるようになる。
【０１０３】
図１３はタッチパネル３１上に表示される機能実行禁止画面である。画像形成装置ＦＸの操作を行えない利用者が操作を行った場合に機能実行を禁止するための表示する。
【０１０４】
次に、本発明におけるソフトの内部構成の説明をおこなう。
【０１０５】
プログラム(Ｐ)をコンピュータが実行することによって画像形成装置ＦＸにおけるＲＡＭ７０の記憶領域の一部には、図１４に示すアプリケーション層とサービス層の２つが構築される。このうちサービス層は、画像形成装置ＦＸが備えるスキャナ、プロッタや認証デバイス等のデバイスの動作制御を統合アプリケーション（以下、「統合アプリ」という。）が共通で利用できるような単位で提供する。
【０１０６】
また、サービス層の上位に位置するアプリケーション層はユーザの要求を満足するために、コピー、スキャナ配信、ＦＡＸ送信等のサービスを提供する。上記アプリケーション層は、操作系、管理系、実行系を含んでいる。
【０１０７】
このうち操作系はユーザの要求を解釈し、品質、コスト、納期を考慮した上で、サービスの提供を行なう。操作系は、提供するサービスの内容に応じて、管理系、実行系に実際の処理を委託する。
【０１０８】
また、管理系は画像形成装置ＦＸのデバイス状態を監視、オプション構成(フィニッシャー、課金装置、認証装置等)の把握、データ管理(アドレス帳、蓄積文書等)等の画像形成装置全体として必要なサービスの提供を行なう。管理系は、操作系、実行系の問い合せを受け付け、デバイス情報や、課金装置、認証装置等の機器構成情報、アドレス情報、蓄積文書情報、認証されたユーザ情報、課金情報を操作系および実行系に提供する。ここで、認証されたユーザ情報に基づいて、利用できるユーザを制限する。
【０１０９】
さらに、実行系は、操作系を介して受け付けた、コピー等の要求を複数保持し、この複数要求の実行制御を行ない、この実行制御の際に必要となる機器情報等の提供を管理系に対して依頼する。実行系は、ユーザからコピーやファクスといった、文書を取り扱う文書操作の要求を受け付け、ユーザの要望通りの仕上がりで文書の複製を作成することを責務とする。
【０１１０】
次に、ＵＭＬで書かれた図１５，１６，１７を用い、本実施形態の特徴部分である認証管理部について詳細に説明する。
【０１１１】
説明に先駆けて、オブジェクト指向で基本的に使用されている用語であるクラスとインスタンスについて、簡単に説明する。
【０１１２】
クラスは、データとその操作手順である操作をまとめたインスタンスの雛型を定義したもの。これを定義することで、同種のインスタンスをまとめて扱うことができるようになる。クラスをＵＭＬで模式的に表記すると図１８のように示される。図１８のようにクラスは、複数のデータを所持するための部位であるデータ所持部と、このデータを読み出して、何らかの処理を行なったり、何らかの処理を行なった結果のデータを書き込んだりする操作を複数所持する操作管理部を所持している。
【０１１３】
一方、クラスに対して、具体的なデータを持つ個々のオブジェクトは「インスタンス」と呼ばれる。インスタンスは、クラスを基にした実際の値としてのプログラムとしてのデータのことで、クラスと対比して用いられることが多く、クラスを「型」、インスタンスを「実体」として説明されることもある。実際に物理メモリ上に配置されたデータの集合という意味であり、データの実体をより具体的・直接的に捉えた用語である。また、継承という概念を用いる。
【０１１４】
以下の説明では、上記クラスと上記インスタンスの意味の違いに注意していただきたい。
【０１１５】
図１５（分析モデル）は上記認証管理部の構成を示すＵＭＬのクラス図である。図１５に示されるクラスはソフトウェアの一部であり、プログラム(Ｐ)の一部である。プログラム(Ｐ)が実行されると、上記クラスはＲＡＭ７０の所定の記憶領域にてインスタンス化され、ＲＡＭ７０の所定の記憶領域を使用してデータ所持部が実現される。
【０１１６】
これによりインスタンスはＲＡＭ７０にデータを書き込むこと、および、あらかじめＲＡＭ７０に書き込んであるデータを読み出すことが可能となる。インスタンスはお互いにメッセージのやり取りを行なうことによって協調動作する。そして、上記インスタンスの協調動作によって画像形成装置ＦＸは、本発明で説明する処理を行なうことができるようになる。
【０１１７】
図１６、１７（シーケンス）は、それぞれのインスタンスが協調動作を行なうときのＵＭＬのシーケンス図である。
【０１１８】
認証管理部は大別すると、図１５に示すように「Ａ：ユーザ情報管理部（ユーザ情報管理手段）」と「Ｂ：ユーザログイン部（ユーザログイン手段）」から構成される。
【０１１９】
「Ａ：ユーザ情報管理部」はユーザ情報の参照、編集等を受け付ける「Ａ１：ユーザ登録部（ユーザ登録手段）」と、個別のユーザ情報を保持する「Ａ２：ユーザ情報部（ユーザ情報手段）」で構成される。
【０１２０】
また、「Ａ１：ユーザ登録部」は、「ユーザ名簿クラス」で構成される。
【０１２１】
また、「Ａ２：ユーザ情報部」は、アカウントやロールのようなユーザの識別を行うための情報を保持する「Ａ２＿１：ユーザ識別部（ユーザ識別手段）」と、ユーザの特性を表す情報を保持する「Ａ２＿２：ユーザ特性部（ユーザ特性手段）」で構成される。
【０１２２】
また、「Ａ２＿１：ユーザ識別部」は、「アカウントクラス」で構成される。
【０１２３】
また、「Ａ２＿２：ユーザ特性部」は、「ユーザプロファイルクラス」で構成される。
【０１２４】
「Ｂ：ユーザログイン部」は、ユーザのログイン・ログアウトを管理し、ユーザの認証状態を調べる「Ｂ１：ユーザ制限部」と、個別のログインユーザの状態を保持する「Ｂ２：ログインユーザ情報部」で構成される。
【０１２５】
また、「Ｂ１：ユーザ制限部」は、「利用者制限クラス」で構成される。
【０１２６】
また、「Ｂ２：ログインユーザ情報部」は、ログインユーザの状態をあらわす「Ｂ２＿１：ユーザ状態部」と、ユーザの証明のための手段を保持する「Ｂ２＿２：ユーザ証明部」で構成される。
【０１２７】
また、「Ｂ２＿１：ユーザ状態部」は、「被認証者クラス」で構成される。
【０１２８】
また、「Ｂ２＿２：ユーザ証明部」は、「身分証クラス」で構成される。
【０１２９】
以下で、図１５に示される各クラス間の関係を説明する。
【０１３０】
上述したユーザ名簿クラスは、認証管理部に複数存在し、アカウントクラスはユーザ名簿クラスに対して、１以上で複数存在する。ユーザ名簿クラスはアカウントクラスを登録し、管理している。そのためユーザ名簿クラスとアカウントクラスは登録場所と登録物という関係を成している。
【０１３１】
上述したアカウントクラスはユーザの特性情報を表すユーザプロファイルクラスを１つ保持する。そのため、アカウントクラスとユーザプロファイルクラスは保持者と保持対象という関係を成している。
【０１３２】
上述した利用者制限クラスはログインをしようとするユーザを表す被認証者クラスを０以上で複数制限する。そのため、利用者制限クラスと被認証者クラスは制限者と制限対象という関係を成している。
【０１３３】
上述した被認証者クラスは自分の身元を証明する手段を１以上で複数保持する。そのため、被認証者クラスと身分証クラスは保持者と証明手段という関係を成している。
【０１３４】
上述した利用者制限クラスはユーザ名簿を１以上で複数保持する。また、１つのユーザ名簿を閲覧する。よって利用者制限クラスとユーザ名簿クラスは保持者と保持対象という関係と閲覧者と閲覧対象という関係を成している。
【０１３５】
上述した被認証者クラスはログインした時には自分の個人情報となるアカウントクラスと１つ関係を持つ。よって、被認証者クラスとアカウントクラスは利用者と個人情報という関係を成している。
【０１３６】
さて、これまでは、コピー／ファクス／スキャナというアプリケーション毎に認証管理の仕組みを作って、認証管理を行なってきた。
【０１３７】
しかし、認証を管理するという作業について基本的な要件は、アプリケーションによって大きく変わるものではない。参考に以下に基本的な要件の一例を示す。
（要件１）ユーザを認証し、その証明を行う。
（要件２）認証されたユーザ毎にできることが異なる。
（要件３）認証されたユーザ毎に特性情報が存在する。
【０１３８】
アプリケーション毎に認証管理の仕組みを作っていては、上記の例から更に要件が増えた場合は、設計者の作業量もそれに比例することになる。
【０１３９】
また、アプリケーションの違いという軸で、認証された利用者の管理の仕組みを構成すると、アプリケーションが増える度に大きく影響を受ける構成となってしまう。
【０１４０】
しかし、データと処理で認証管理を分けることによって、新たなアプリケーションが出現した場合であっても、データと処理の追加であるという解釈に基づいて、追加設計を行なえばよいことになる。
【０１４１】
また、ユーザプロファイルは現状のパーソナルコンピュータ装置や携帯電話等では一般的になりつつある技術であり、画像形成装置ＦＸにも応用可能である。
【０１４２】
以下に、各クラスの属性と操作を説明する。
【０１４３】
［ユーザ名簿クラス］
属性（データ）
・状態−認証管理部ＳＳ１が登録されたユーザ情報の参照・編集処理を行っている状態を所持する。この値はユーザ名簿クラスの処理状態によって変化する。
・登録場所−ユーザ情報が登録された記憶媒体名を保持する。
・優先順位−ユーザがログインする時にどの名簿を使うかを示した優先順位。
・最大登録者数−記憶媒体に何人まで登録できるかを示した値。
操作
・参照する−ユーザ及び管理者が操作系ＧＲＰ１を介して行う、登録されたユーザ情報の参照要求を受け付け、後述のアカウントクラス及びユーザプロファイルクラスの属性を参照する処理。
・編集する−ユーザ及び管理者が操作系ＧＲＰ１を介して行う登録されたユーザ情報の編集要求を受け付け、後述のアカウントクラス及びユーザプロファイルクラスの属性を編集する処理。
・追加する−ユーザ及び管理者が操作系ＧＲＰ１を介して行う登録されたユーザ情報の追加要求を受け付け、後述のアカウントクラス及びユーザプロファイルクラスを追加する処理。
・削除する−ユーザ及び管理者が操作系ＧＲＰ１を介して行う登録されたユーザ情報の削除要求を受け付け、後述のアカウントクラス及びユーザプロファイルクラスを削除する処理。
【０１４４】
［アカウントクラス］
属性（データ）
・状態−認証管理部ＳＳ１が登録ユーザのアカウントの参照・変更処理を行っている状態を所持する。この値はアカウントクラスの処理状態によって変化する。
・アカウント名−ユーザを識別する名称。これは管理者が初期設定によって設定する。＠・ロール−ユーザの権限。この値は管理者が初期設定によって設定する。この値に従って、利用者がシステムでできることが決定する。
操作
・参照する−前述のユーザ名簿クラス及び被認証者クラスから属性及び、後述のユーザプロファイルクラスの属性の参照要求を受け付け、ユーザ情報を参照する処理。
・変更する−前述のユーザ名簿クラスから属性及び、後述のユーザプロファイルクラスの属性の変更要求を受け付け、ユーザ情報を変更する処理。
【０１４５】
[ユーザプロファイルクラス]
属性（データ）
・状態−認証管理部ＳＳ１がユーザプロファイルクラスの属性の参照・変更処理を行っている状態を所持する。この値はユーザプロファイルクラスの処理状態によって変化する。
・ユーザ名称−ユーザの登録された正式名称を保持する。
・メールアドレス−ユーザのメールアドレスを保持する。
・デスクトップ配置−ユーザがログインした時のデスクトップ配置、コピー濃度や選択用紙等が設定されている。
・お気に入り−ユーザが登録したURLを保持する。
・リダイヤル−ユーザのリダイヤル情報を保持する。
・アドレス帳−ユーザ個人のアドレス帳を保持する。
操作
・参照する−前述のアカウントクラスから、登録された利用者情報の参照要求を受け付け、ユーザプロファイルクラスの属性を参照する処理
・変更する−前述のアカウントクラスから、登録された利用者の情報の変更要求を受け付け、ユーザプロファイルクラスの属性を変更する処理
【０１４６】
[利用者制限クラス]
属性（データ）
・状態−認証管理部ＳＳ１がログイン・ログアウト処理を行っている状態を所持する。この値は利用者制限クラスの処理状態によって変化する。
・最大ログイン数−ログインできる人の最大数を保持する。
・ログイン方法−利用者がログインする方法を保持する。
操作
・ログイン−ユーザが操作系ＧＲＰ１を介して設定したログイン名とパスワードや生体情報等の認証情報を元に後述の被認証クラスに対して認証を依頼する処理。
・ログアウト−ユーザが操作系ＧＲＰ１を介して設定したログイン名を元に後述の被認証者クラスに対して認証取り消しを依頼する処理。
・調べる−ユーザが操作系ＧＲＰ１を介して設定したユーザの要求する機能、項目を受け付け、後述の被認証者クラスに対して、ユーザの要求する機能及び利用項目が実行できるかどうか確認を依頼する処理。
・変更する−ユーザが操作系ＧＲＰ１を介して設定したログイン方法を元に利用者制限クラスの属性であるログイン方法と最大ログイン数を変更する処理。
【０１４７】
[被認証者クラス]
属性（データ）
・ログイン名−認証管理部ＳＳ１がログイン要求を受け付ける際に、操作系ＧＲＰ１を介して、ユーザより入力されたログイン名。
・状態−ログインしたユーザの認証状態。
操作
・認証する−前述の利用者制限クラスからログイン名とパスワードや生体情報等の認証情報の照合要求を受け付け、後述の身分証クラスに利用者の身元の確認を要求する処理。
・認証を取り消す−前述の利用者制限クラスからログイン名を受け付け、後述の身分証クラスに利用者の身元証明の取り消しを要求する処理。
・確認する−前述の利用者制限クラスからログイン名と利用機能・項目を受け付け、前述のアカウントクラスを参照し、アカウントクラスの属性であるロールから利用者の機能利用可否を判断する処理。
【０１４８】
[身分証クラス]
属性（データ）
・状態−身分証クラスが有効か無効かをあらわす。
・登録番号−前述の被認証者クラスから発行される際に付与される番号。
・種類−身分証の種類を表す。パスワードや生体情報等。
・有効期限−利用者がシステムを利用できる期限を表す。
操作
・提出する−サービス層ＳＲＶ１に対して認証を依頼する処理。 
・無効にする−サービス層ＳＲＶ１が認証デバイスの状態によって通知する内容を受け付け、身分証クラスの属性の状態を変化させる処理。
【０１４９】
次に、本実施形態の処理について説明する。
【０１５０】
図１６は、ログイン要求時におけるインスタンス間のコラボレーションを示すＵＭＬのシーケンス図である。
【０１５１】
図１７は、利用可否確認時におけるインスタンス間のコラボレーションを示すＵＭＬのシーケンス図である。
【０１５２】
まず、ログイン要求のシーケンスにおける操作系ＧＲＰ１の処理の概略を説明する。
【０１５３】
利用者は操作部３１上に表示されるソフトキーボード（図１２）を介して、画像形成装置ＦＸに対してログイン名とパスワードを入力し、操作部３０上に表示されるログイン名・パスワード入力要求画面（図１１）のログインキー８９を押下することによりログインの要求を入力する。
【０１５４】
これにより、操作系ＧＲＰ１は、ログインの要求とログイン名とパスワードを含むメッセージを利用者制限インスタンスＢ１’に送る。
【０１５５】
利用者制限インスタンスＢ１’は、操作系ＧＲＰ１からメッセージを受け取ることにより、ログイン要求を行うための「ログイン」処理を行なう。
【０１５６】
利用者制限インスタンスＢ１’はログイン名を含むメッセージをユーザ名簿インスタンスＡ１’に送る。
【０１５７】
ユーザ名簿インスタンスＡ１’は利用者制限インスタンスＢ１’よりメッセージを受け取ることによって、アカウントインスタンスＡ２＿１’を参照する「参照」処理を行う。
【０１５８】
ユーザ名簿インスタンスＡ１’はログイン名を含むメッセージをアカウントインスタンスＡ２＿１’に送る。
【０１５９】
アカウントインスタンスＡ２＿１’はユーザ名簿インスタンスＡ１’よりメッセージを受け取ることによって、アカウント情報参照の結果を返す「参照」処理を行う。
【０１６０】
利用者制限インスタンスＢ１’はログイン名が存在することを確認したら、被認証者インスタンスＢ２＿１’を生成し、ログイン名とパスワードを含むメッセージを被認証者インスタンスＢ２＿１’に送る。
【０１６１】
被認証者インスタンスＢ２＿１’は利用者制限インスタンスＢ１’よりメッセージを受けることにより、身分証インスタンスＢ２＿２’を生成し、認証を要求する認証する処理を行う。
【０１６２】
被認証者インスタンスＢ２＿１’は身分証インスタンスＢ２＿２’にログイン名とパスワードを含むメッセージを送る。
【０１６３】
身分証インスタンスＢ２＿２’は被認証者インスタンスＢ２＿１’よりメッセージを受け取ることによって、認証デバイスＳＲＶ１に対して認証を要求する「提出する」処理を行う。
【０１６４】
被認証者インスタンスＢ２＿１’は認証されたら属性の状態を認証状態に変化させる。
【０１６５】
次に、利用可否確認のシーケンスを説明する。
【０１６６】
利用者は、操作部３０上の機能ボタン３８〜４６（図１２）を介して、画像形成装置ＦＸに対して、利用機能を選択する。
【０１６７】
これにより、操作系ＧＲＰ１は利用機能を含むメッセージを利用者制限インスタンスＢ１’に送る。
【０１６８】
利用者制限インスタンスＢ１’は、操作系ＧＲＰ１からメッセージを受け取ることにより、利用可否確認を行う「調べる」処理を行う。
【０１６９】
利用者制限インスタンスＢ１’は被認証者インスタンスＢ２＿１’に対して、利用機能を含むメッセージを送る。
【０１７０】
被認証者インスタンスＢ２＿１’は利用者制限インスタンスＢ１’からメッセージを受け取ることにより、利用可否確認を行う「確認する」処理を行う。
【０１７１】
被認証者インスタンスＢ２＿１’はアカウントインスタンスＡ２＿１’に対して、利用機能を含むメッセージを送る。
【０１７２】
アカウントインスタンスＡ２＿１’は被認証者インスタンスＢ２＿１’インスタンスよりメッセージを受け取ることにより、属性のロールを返す「参照」処理を行う。
【０１７３】
被認証者インスタンスＢ２＿１’はアカウントインスタンスＡ２＿１’から受け取ったロールから機能利用可否の判断を行う。
【０１７４】
このようにして、本実施例では、システムに登録された利用者情報の管理、ログインユーザーの管理という２つを分けることで各部の変更がその他の状態に拠らずに行える。
【０１７５】
また、ユーザー全体の編集・参照作業を行う部分と、ユーザー毎のアカウントの編集・参照作業を行う部分を分けることにより、システム全体のユーザー情報と個々のユーザー情報に対する処理を分離することができる。
【０１７６】
また、ユーザー全体のログイン・ログアウト作業を行う部分と、ユーザー毎認証状態の管理を行う部分を分けることにより、システム全体のログインユーザー情報と個々のログインユーザー情報に対する処理を分離することができる。
【０１７７】
また、アカウント情報のようにシステム管理者のみが変更できる項目とプロファイルのようにユーザーが独自に変えることができるものを分けることによって、セキュリティーレベルの細かな設定が行える
【０１７８】
また、ユーザーのログイン状態とユーザー証明手段を分けることで、複数のユーザー証明手段を用いてユーザーの１つのログイン状態を決めたりすることができ、セキュリティー対策が厳密に行える。
【０１７９】
なお、上述した実施例で説明した以外の画像形成装置であって、複数の機能を備え、ユーザが利用できる機能がその一部に制限ものであれば、本発明を同様にして適用することができる。
【図面の簡単な説明】
【０１８０】
【図１】本発明で想定している実施環境の一例を示したブロック図。
【図２】画像形成装置ＦＸの機械的構造の一例を示した概略構成図。
【図３】画像形成装置ＦＸの操作パネルの一例を示した概略構成図。
【図４】コピーモードの表示画面の一例を示した概略図。
【図５】メインコントローラを中心に、制御装置の構成の一例を示したブロック図。
【図６】画像処理ユニット（ＩＰＵ）４９の内部構成の一例を示したブロック図。
【図７】コピーサーバアプリの表示画面の一例を示した概略図。
【図８】スキャナアプリの表示画面の一例を示した概略図。
【図９】読取条件設定の表示画面の一例を示した概略図。
【図１０】蓄積文書の一覧表示画面の一例を示した概略図。
【図１１】ログイン名／パスワード入力画面の一例を示した概略図。
【図１２】ソフトキーボード画面の一例を示した概略図。
【図１３】機能実行禁止画面の一例を示した概略図。
【図１４】画像形成装置ＦＸのソフトウェア構成の一例を示したブロック図。
【図１５】認証管理の構成の一例を示したＵＭＬ図。
【図１６】ログイン時のシーケンス処理フローの一例を示したＵＭＬ図。
【図１７】利用可否確認時のシーケンス処理フローの一例を示したＵＭＬ図。
【図１８】クラスの概念を説明するための概略図。
【図１９】従来のアプリケーション層とサービス層との関係を説明するための概略図。
【図２０】これからのアプリケーション層とサービス層との関係を説明するための概略図。
【符号の説明】
【０１８１】
ＦＸ  画像形成装置
２０  メインコントローラ
３０  操作部
【図２】
2007081913.tif 000003
【図３】
2007081913.tif 000004
【図５】
2007081913.tif 000005
【図６】
2007081913.tif 000006
【図７】
2007081913.tif 000007
【図８】
2007081913.tif 000008
【図９】
2007081913.tif 000009
【図１０】
2007081913.tif 000010
【図１】
2007081913.tif 000011
【図４】
2007081913.tif 000012
【図１１】
2007081913.tif 000013
【図１２】
2007081913.tif 000014
【図１３】
2007081913.tif 000015
【図１４】
2007081913.tif 000016
【図１５】
2007081913.tif 000017
【図１６】
2007081913.tif 000018
【図１７】
2007081913.tif 000019
【図１８】
2007081913.tif 000020
【図１９】
2007081913.tif 000021
【図２０】
2007081913.tif 000022